(57)【要約】      （修正有）【課題】豪華な宝石や特定の記章、綺麗な装飾品を備え、又、意志を伝える文字やマーク等の図形を配した個性的な刃物の二層状把手を提供する。【解決手段】先端側の長手方向に沿った刃部１ａと基端側に柄部１ｂとを接続部１ｃを介して一体に形成した刃物１の把手であって、柄部１ｂに不透明部材又は半透明部材の内層把手２を固着し、内層把手２の全体と接続部１ｃとを覆って透明部材又は半透明部材の表層把手３を形成し、表層把手３の任意箇所へ任意形状の空所４を形成して内層把手２が露出する露出部５を形成し、空所４又は露出部５に宝石、記章、装飾品を装着したものである。【選択図】図１
0003154324.tif 000002
【実用新案登録請求の範囲】
【請求項１】
先端側の長手方向に沿った刃部と基端側に柄部とを接続部を介して一体に形成した刃物の把手であって、前記柄部に不透明部材又は半透明部材の内層把手を固着し、該内層把手の全体と前記接続部とを覆って透明部材又は半透明部材の表層把手を形成し、前記表層把手の任意箇所へ任意形状の空所を形成して前記内層把手が露出する露出部を形成し、前記空所又は前記露出部に宝石、記章、装飾品を装着したことを特徴とする刃物の二層状把手。
【請求項２】
前記空所及び前記露出部は、前記内層把手を前記柄部に固着した後に、正確に位置決めして前記表層把手を射出成型するために基端辺を金型の両側から突出させてた突起により固定した抜き穴としたことを特徴とする請求項１に記載の刃物の二層状把手。
【請求項３】
先端側の長手方向に沿った刃部と基端側に柄部とを接続部を介して一体に形成した刃物の把手であって、前記柄部に不透明部材又は半透明部材の内層把手を固着し、該内層把手の全体と前記接続部とを覆って透明部材又は半透明部材の表層把手を形成し、前記内層把手の任意位置及び／又は前記接続部に印刷スペースを設け、該印刷スペースに文字、図形を印刷したことを特徴とする刃物の二層状把手。
【請求項４】
先端側の長手方向に沿った刃部と基端側に柄部とを接続部を介して一体に形成した刃物の把手であって、前記柄部に不透明部材又は半透明部材の内層把手を固着し、該内層把手の全体と前記接続部とを覆って透明部材又は半透明部材の表層把手を形成し、前記内層把手の任意位置及び／又は前記接続部に印刷スペースを設け、該印刷スペースに文字、図形を印刷した印刷物を貼付したことを特徴とする刃物の二層状把手。
【考案の詳細な説明】
【技術分野】
【０００１】
本考案は包丁やナイフ等の刃物の二層状把手に関するものであり、更に詳細には、刃物の柄部に固着した不透明部材又は半透明部材で形成した内層把手と、透明部材又は半透明部材で形成した表層把手とを備え、表層把手で内層把手を保護させる把手に、豪華な宝石や特定の記章、綺麗な装飾品を備え、又、意思を伝える文字やマーク等の図形を配した個性的な刃物の二層状把手に関するものである。
【背景技術】
【０００２】
近年、ユーザーは刃物も単に物を切断するのみでなく、ファション性やオリジナリティも求める傾向が強く成り、単に刃物の柄部に把手を取り付けただけの包丁やナイフ等の刃物では満足することが無く成っており、その為、木の把手に特殊加工を施して高級感を醸し出したものや、カラフルな合成樹脂を用いたものも普及し始めている。
【０００３】
また、透明把手を備えたものとして、先に開示された、例えば、中子部１８に１個以上の孔１９，２０，２１を設けた刀身と、中子部の両外側に間隔片２２，２３，２４，２５，２７，２９を介して側板１６，１７を一体化した柄を含む刃物１であって、中子部１８と両外側の側板１６，１７の間の一部から延長され刀身の峰部５の一部を覆う指当て具１０を設け、中子部１８と両外側の側板１６，１７とは、中子部１８に設けた少なくとも１個の孔２０内に挿入された側板１７の一方に設けられた凸部２８とこれに嵌合する側板１６の凹部の孔３１と、この嵌合部内に挿入された固定具３３，３４により一体化されており、両外側の側板１６，１７が透明な樹脂製であるもの（特許文献１参照）や、包丁、玉じゃくし、フライ返し等の手動利器１０のための柄２０であって、この柄２０を、手動利器２０の取付基部１１に一体化される剛性柄部２１と、この剛性柄部２１の表面全てを包み込むことになる軟質柄部２２とにより構成し、前記軟質柄部を、透明または半透明材料により形成した（特許文献２参照）は透明部材を用いた取手部として開示されている。
【特許文献１】特開２００１−２９３２６５号公報
【特許文献２】特開２００４−３１４２０２号公報
【考案の開示】
【考案が解決しようとする課題】
【０００４】
然し乍ら、特許文献１においては、中子部１８に１個以上の孔１９，２０，２１を設けた刀身と、中子部の両外側に間隔片２２，２３，２４，２５，２７，２９を介して側板１６，１７を一体化した柄を含む刃物１であって、前記両外側の側板１６，１７が透明な樹脂製のものであるが、固定具３３，３４により一体化されているもので、つまり、透明な樹脂製の側板１６，１７により中子部１８は透視できるものの、洗浄する時は分解をして洗浄するもので、その分解作業をするためにドライバー等の道具も必要とするもので、その構造も複雑なものであり、更に、特許文献２においては、包丁、玉じゃくし、フライ返し等の手動利器１０のための柄２０であって、この柄２０を、手動利器２０の取付基部１１に一体化される剛性柄部２１と、この剛性柄部２１の表面全てを包み込むことになる軟質柄部２２とにより構成し、前記軟質柄部２２を、透明または半透明材料により形成した二重構造に構成されており、外側の軟質柄部２２は透明または半透明材料により形成されているものの、装飾や意思の伝達ができる文字等を装着又は印刷は無く変哲のないものである。
【課題を解決するための手段】
【０００５】
本考案の刃物の二層状把手は、前述課題に鑑み、鋭意研鑽の結果、先端側の長手方向に沿った刃部と基端側に柄部とを接続部を介して一体に形成した刃物の把手であって、柄部に不透明部材又は半透明部材の内層把手を固着し、内層把手の全体と接続部とを覆って透明部材又は半透明部材の表層把手を形成し、表層把手の任意箇所へ任意形状の空所を形成して内層把手が露出する露出部を形成し、空所又は露出部に宝石、記章、装飾品を装着したものであり、更に、空所及び露出部は、内層把手を柄部に固着した後に、正確に位置決めして表層把手を射出成型するために基端辺を金型の両側から突出させてた突起により固定した抜き穴としたものであり、更には、内層把手の任意位置及び／又は接続部に印刷スペースを設け、印刷スペースに文字、図形を印刷したものであり、加えて、内層把手の任意位置及び／又は接続部に印刷スペースを設け、印刷スペースに文字、図形を印刷した印刷物を貼付したものである。
【考案の効果】
【０００６】
本考案の刃物の二層状把手は、内層把手を不透明部材又は半透明部材で形成し、表層把手を透明部材又は半透明部材のを形成したことによって、表層把手で内層把手の意匠性や材質を保護し、また、表層把手を透視して内層把手を見ることとなり、表層把手と内層把手との透明度や色を変えることにより、見る角度によっても色の変化や濃淡が変化する把手を持つ刃物と成ると共に、表層把手に空所を形成して内層把手が露出する露出部を形成し、そこに誕生石や記章、装飾品を装着することにより、より個性的な刃物と成り、更には、内層把手、及び／又は、接続部に印刷スペースを設け、印刷スペースに直接、文字、図形を印刷したこと、又は、印刷スペースに文字、図形を印刷した印刷物を貼付したことにより、「Ｌｏｖｅ  Ｆｏｒｅｖｅｒ  Ｍａｍａ」とか、「Ｈａｐｐｙ  Ｂｉｒｔｈｄａｙ  Ｔｏ  Ｙｏｕ」とかのメッセージが表示でき、プレゼント用に使用でき、また、メーカー名や商品名を表示して販促品にも使用できるもので、優れた意匠性と個性を表現させることができる極めて画期的な考案である。
【考案を実施するための最良の形態】
【０００７】
以下、本考案の刃物の二層状把手の実施の形態を図面によって、具体的に説明すると、図１は本考案の刃物の二層状把手の実施例の（Ａ）は正面説明図であり（Ｂ）はその平面図であり、図２は本考案の刃物の二層状把手の次実施例の平面図であり、図３は本考案の刃物の二層状把手の他の実施例の平面図であり、図４は本考案の刃物の二層状把手のその他の実施例の正面図であり、図５は本考案の刃物の二層状把手の更にその他の実施例の正面図である。
【０００８】
本考案は包丁やナイフ等の刃物の二層状把手に関するものであり、更に詳細には、刃物の柄部に固着した不透明部材又は半透明部材で形成した内層把手と、透明部材又は半透明部材で形成した表層把手とを備え、表層把手で内層把手を保護させる把手に、豪華な宝石や特定の記章、綺麗な装飾品を備え、又、意思を伝える文字やマーク等の図形を配した個性的な刃物の二層状把手に関するものであり、請求項１に記載の刃物の二層状把手は、先端側の長手方向に沿った刃部１ａと基端側に柄部１ｂとを接続部１ｃを介して一体に形成した刃物１の把手であって、前記柄部１ｂに不透明部材又は半透明部材の内層把手２を固着し、該内層把手２の全体と前記接続部１ｃとを覆って透明部材又は半透明部材の表層把手３を形成し、前記表層把手３の任意箇所へ任意形状の空所４を形成して前記内層把手２が露出する露出部５を形成し、前記空所４又は前記露出部５に宝石、記章、装飾品６を装着したことを特徴とするものである。
【０００９】
更に、請求項２に記載の刃物の二層状把手は、請求項１に記載の刃物の二層状把手において、前記空所４及び前記露出部５は、前記内層把手２を前記柄部１ｂに固着した後に、正確に位置決めして前記表層把手３を射出成型するために基端辺を金型の両側から突出させてた突起により固定した抜き穴としたことを特徴とするものである。
【００１０】
更には、請求項３に記載の刃物の二層状把手は、先端側の長手方向に沿った刃部１ａと基端側に柄部１ｂとを接続部１ｃを介して一体に形成した刃物１の把手であって、前記柄部１ｂに不透明部材又は半透明部材の内層把手２を固着し、該内層把手２の全体と前記接続部１ｃとを覆って透明部材又は半透明部材の表層把手３を形成し、前記内層把手２の任意位置及び／又は前記接続部１ｃに印刷スペース７を設け、該印刷スペース７に文字、図形を印刷したことを特徴とするものである。
【００１１】
加えて、請求項４に記載の刃物の二層状把手は、先端側の長手方向に沿った刃部１ａと基端側に柄部１ｂとを接続部１ｃを介して一体に形成した刃物１の把手であって、前記柄部１ｂに不透明部材又は半透明部材の内層把手２を固着し、該内層把手２の全体と前記接続部１ｃとを覆って透明部材又は半透明部材の表層把手３を形成し、前記内層把手２の任意位置及び／又は前記接続部１ｃに印刷スペース７を設け、該印刷スペース７に文字、図形を印刷した印刷物を貼付したことを特徴とするものである。
【実施例】
【００１２】
即ち、本考案の請求項１に記載の刃物の二層状把手に用いる刃物１は、先端側の長手方向に沿った刃部１ａが形成され、基端側の柄部１ｂとを接続部１ｃを介して一体に形成された包丁やナイフで主として固形物を切断するものあり、不錆性のステンレスやチタンハイブリッド合金、セラミックで形成することが好適なものである。
【００１３】
そして、内層把手２は、前記刃物１の基端側の柄部１ｂに固着する不透明部材又は半透明部材のＡＢＳ樹脂、ポリプロピレン（ＰＰ）、ポリエチレンテレフタート（ＰＥＴ）、アクリル系樹脂、ナイロン、ポリカーボネートポリイミド等の熱可塑性樹脂、又は、エポキシ、ベリーライト等の熱硬化性樹脂で圧縮成形や射出成形等の手段により形成された合成樹脂製のもので、不透明部材は自由に適宜着色され、半透明部材は乳白色又は淡い色を着色した有色半透明のものであり、また、木目を生かした乾燥木材製ものや、プラスチック含浸木材製もの、若しくは、金属製のものである。
【００１４】
次に、表層把手３は、内層把手２の全体を覆うと共に、刃物１の接続部１ｃも覆っているもので、接続部１ｃには後述する印刷スペース７を設けるものであり、透明部材又は半透明部材の熱可塑性樹脂又は熱硬化性樹脂で形成されているもので、透明部材は無色透明、着色された有色透明であり、半透明部材は乳白色や淡く着色されたもので、内層把手２の表面が透視できる程度の範囲の透明度を備えているものある。
【００１５】
つまり、内層把手２の全体を覆って表層把手３を形成し二層状把手としたことにより、内層把手２の木材表面の木目模様、金属の表面に施した意匠性の模様や、後述する文字、図形等の全てを表層把手３により密閉して、内層把手２の汚れや材質の変化を防止し、手洗いや食器洗浄機等による熱湯洗浄等の過酷な環境下においても把手の美観を損なうことなく、半永久的に維持可能としたものである。
【００１６】
また、表層把手３を透明部材又は半透明部材で形成し、内層把手２を不透明部材又は半透明部材で形成したことにより、表層把手３の厚み部分である周辺部では表層把手３だけが透けて見えることと成り、内側部分は表層把手３を透して内層把手２を見ることとなり、二層状把手の周辺部と内側部分では色や濃淡が相違して見えるものである。
【００１７】
次いで、空所４及び露出部５は、表層把手３の任意箇所へ任意形状の空所４を形成することで、内層把手２が露出する露出部５が形成されるものであり、実施例で図示するものは、刃物１の基端辺に円形の空所４を形成したものであるが、その位置や形状は任意のものである。
【００１８】
更に、宝石、記章、装飾品６は、誕生石等の宝石や、家紋等を刻印した記章、光り物等の装飾品で、図２に図示するように、表層把手３の穴である空所４に嵌入させて装着しても、図３に図示するように、内層把手２の平坦な露出部５に植設させて装着しても構わないものである。
【００１９】
更には、請求項２に記載の刃物の二層状把手は、前記内層把手２を覆うように表層把手３を射出成型する際に、内層把手２を固着した刃物１を正確に位置決めして左右対称の美形の表層把手３にするために金型の両側から突起を突出させて固定した抜き穴を利して空所４及び露出部５とするものである。
【００２０】
つまり、薄物であるこの種の刃物１側を固定して中空の金型内で内層把手２の表面に射出成型して表層把手３を薄膜で形成しようとする場合、圧力をかけても移動しないように正確に位置決めすることが求められ、その為、金型の内側から突起を突出させて内層把手２の基端辺に当接して固定するもので、この固定した抜き穴を空所４及び露出部５として利するものである。
【００２１】
更には、請求項３に記載の刃物の二層状把手は、刃物１の柄部１ｂに内層把手２と表層把手３を形成することは前述の記載と同じなので省略するが、内層把手２の任意位置、つまり、印刷スペース７は、図４に図示する実施例では、内層把手２の巾方向の真ん中に長手方向に沿って細長い矩形状に形成したものであり、及び／又は、図５に図示する実施例のように、刃物１の接続部１ｃに矩形状の印刷スペース７を設けたものであり、その印刷スペース７に周知の適宜な手段により直接、文字、図形を印刷したものである。
【００２２】
そして、印刷スペース７に印刷する文字、図形は任意なもので、例えば、「Ｌｏｖｅ  Ｆｏｒｅｖｅｒ  Ｍａｍａ」とか、「Ｈａｐｐｙ  Ｂｉｒｔｈｄａｙ  Ｔｏ  Ｙｏｕ」とかの意味を持つメッセージでも、メーカー名でも、商品名でも構わないものである。
【００２３】
加えて、請求項４に記載の刃物の二層状把手は、前述の印刷スペース７に文字、図形を印刷した印刷物を貼付したもので、印刷物にすることにより印刷が容易で、特殊な印刷も可能であり、より華麗な印刷が望めるものである。
【産業上の利用可能性】
【００２４】
本考案の刃物の二層状把手は、内層把手を不透明部材又は半透明部材で形成し、表層把手を透明部材又は半透明部材のを形成したことによって、表層把手で内層把手の意匠性や材質を保護し、また、表層把手を透視して内層把手を見ることとなり、表層把手と内層把手との透明度や色を変えることにより、見る角度によっても色の変化や濃淡が変化する把手を持つ刃物と成ると共に、表層把手に空所を形成して内層把手が露出する露出部を形成し、そこに誕生石や記章、装飾品を装着することにより、より個性的な刃物と成り、更には、内層把手、及び／又は、接続部に印刷スペースを設け、印刷スペースに直接、文字、図形を印刷したこと、又は、印刷スペースに文字、図形を印刷した印刷物を貼付したことにより、「Ｌｏｖｅ  Ｆｏｒｅｖｅｒ  Ｍａｍａ」とか、「Ｈａｐｐｙ  Ｂｉｒｔｈｄａｙ  Ｔｏ  Ｙｏｕ」とかのメッセージが表示でき、プレゼント用に使用でき、また、メーカー名や商品名を表示して販促品にも使用できる刃物の二層状把手の提供である。
【図面の簡単な説明】
【００２５】
【図１】図１は本考案の刃物の二層状把手の実施例の（Ａ）は正面説明図であり（Ｂ）はその平面図である。
【図２】図２は本考案の刃物の二層状把手の次実施例の平面図である。
【図３】図３は本考案の刃物の二層状把手の他の実施例の平面図である。
【図４】図４は本考案の刃物の二層状把手のその他の実施例の正面図である。
【図５】図５は本考案の刃物の二層状把手の更にその他の実施例の正面図である。
【符号の説明】
【００２６】
１      刃物
１ａ    刃部
１ｂ    柄部
１ｃ    接続部
２      内層把手
３      表層把手
４      空所
５      露出部
６      宝石、記章、装飾品
７      印刷スペース
【図１】
0003154324.tif 000003
【図２】
0003154324.tif 000004
【図３】
0003154324.tif 000005
【図４】
0003154324.tif 000006
【図５】
0003154324.tif 000007